(57)【要約】      （修正有）【課題】スピーディー且つ便利に装丁作業を行うことができるルーズリーフノート紙及びルーズリーフノート紙用留め具を提供する。【解決手段】ルーズリーフノート紙１は、一側に、穴１１が一列に配列しており、各穴１１の間隔は１インチである。また、各穴１１から一側の端に向かって、わずかな幅の溝１２が形成されている。留め具２は、硬い線材によって、多数のダブルのＣ型リング２１を長く連結させて形成される。各ダブルのＣ型リング２１の間隔は、１インチである。ダブルのＣ型リング２１の開口部２１１が、一度に多数のルーズリーフノート紙１の対応する間隔単位の穴１１に挿入されて装丁される。【選択図】図３
0003161273.tif 000002
【実用新案登録請求の範囲】
【請求項１】
ダブルのＣ型リングが多数つながるように硬い線材により長い形状に加工され、
各前記ダブルのＣ型リングの間隔が１インチであり、
装丁時に前記ダブルのＣ型リングの開口部にルーズリーフノート紙の対応する穴が挿入され、
一度に多数の前記ルーズリーフノート紙が装丁され、スピーディー且つ便利に装丁作業が行われることを特徴とするルーズリーフノート紙用留め具。
【請求項２】
一側に一列に穴が形成され、
各前記穴の間隔は１インチであり、
各前記穴から前記一側の端に向かって溝が形成され、
ダブルのＣ型リングが多数つながるように硬い線材により長い形状に加工されたルーズリーフノート紙用留め具が穴に挿入され、装丁作業が行われることを特徴とするルーズリーフノート紙。
【請求項３】
前記溝の幅はわずかであり、
紙の完全性を保ったまま取り出せると同時に、再び元の位置に戻すことが可能であることを特徴とする請求項２に記載のルーズリーフノート紙。
【考案の詳細な説明】
【技術分野】
【０００１】
本考案は、ルーズリーフノート紙、及びルーズリーフノート紙用留め具に関する。
【背景技術】
【０００２】
現在、最もよく使用されているルーズリーフノートＡは、図１に示すように、たいてい螺旋状の単一の硬い線材によって製造されたコイルワイヤＢをルーズリーフノート紙Ａ１の一側の穴Ａ２中に貫通させて使用する。しかしながら、このタイプのルーズリーフノートＡは、使用した際に必ずいくつかの問題に遭遇する。
【０００３】
例えば、ルーズリーフノート紙Ａ１に設けられた穴Ａ２は閉じられた形態である。このため、そのうちの一枚のルーズリーフノート紙Ａ１を取り出そうとすると、そのルーズリーフノート紙Ａ１の完全性が破壊される。つまり、ルーズリーフノート紙Ａ１の一側に一列に設けられた多数の穴Ａ２が、その紙の閉じられた穴Ａ２が無理やりに引っ張られることにより、ルーズリーフノート紙Ａ１の穴Ａ２がコイルワイヤＢによって破壊されて破れ、若干の紙の切れ端Ａ３が残る場合もある（図２参照）。このように、従来の技術では、ルーズリーフノート紙Ａ１の一側の穴Ａ２が破壊されたり、破れたりしたために、元の綴じてあった状態に再び戻すことができない。
【考案の概要】
【考案が解決しようとする課題】
【０００４】
本考案の目的は、スピーディー且つ便利に装丁作業が行うことができるルーズリーフノート紙を提供することにある。
また、本考案の目的は、ルーズリーフノート紙の穴の完全性を破壊することなく取り出せる上、再び元の位置に戻せる実用性を備えるルーズリーフノート紙を提供することにある。
【０００５】
さらにまた本考案の目的は、スピーディー且つ便利に装丁作業が行うことができるルーズリーフノート紙用留め具を提供することを目的とする。
また、本考案の目的は、ルーズリーフノート紙の穴の完全性を破壊することなく取り出せる上、再び元の位置に戻せる実用性を備えるルーズリーフノート紙用留め具を提供することにある。
【課題を解決するための手段】
【０００６】
上記目的を達成するために、本考案のルーズリーフノート紙及びルーズリーフノート紙用留め具は、長く連結する多数のダブルのＣ型リングが一度に多数のルーズリーフノート紙を綴じて装丁することが可能で、速やか且つ便利に装丁作業が行えると同時に、ルーズリーフノート紙を損傷させることなく、完全な形で取り出せて、さらに再び元の位置に戻すことが可能である。
【０００７】
また、本考案のルーズリーフノート紙及びルーズリーフノート紙用留め具は、このうち、ルーズリーフノート紙用留め具が硬い線材によって多数のダブルのＣ型リングが連なった形状に加工され、いずれのダブルのＣ型リングの間隔も１インチを単位とする。
【０００８】
さらにまた、本考案のルーズリーフノート紙及ルーズリーフノート紙用留め具は、このうち、ルーズリーフノート紙の一側に一列に穴が設けられており、この穴の間隔が１インチを単位とする。
【０００９】
また、本考案のルーズリーフノート及びルーズリーフノート紙用留め具は、このうち、ルーズリーフノート紙の一側の各穴の端に向かった一側に溝が設けられ、溝の幅がわずかであることにより、ルーズリーフノート紙を溝から取り出すことが可能であり、取り出す際に紙の完全性を破壊することがない。
【００１０】
さらにまた、本考案のルーズリーフノート用の紙及びルーズリーフノート紙用留め具は、このうち、ルーズリーフノートの穴に溝が設けられていることで、取り出した紙を再び元の位置に戻すことが可能である。
また、本考案のルーズリーフノート紙及びルーズリーフノート紙用留め具は、このうち、ルーズリーフノート紙の一側の穴は幾何形状に形成することができる。
【００１１】
（考案の効果）
ルーズリーフノート紙及びルーズリーフノート紙用留め具に関し、特に、多数のダブルのＣ型リングを有する長い形状のルーズリーフノート紙用留め具によって、一度に多数のルーズリーフノート紙を綴じて装丁することができ、スピーディー且つ便利に装丁作業が行える。さらに、ルーズリーフノート紙の穴の完全性を破壊することなく取り出せる上、再び元の位置に戻せる実用性を備える。
【図面の簡単な説明】
【００１２】
【図１】従来の技術を示した斜視図（一）。
【図２】従来の技術を示した斜視図（二）。
【図３】本考案の技術を説明した説明図。
【図４】本考案を組み立てる際の状態を示した説明図。
【図５】本考案を組み立てた後の斜視図。
【図６】本考案の他の実施例を示す説明図（一）。
【図７】本考案の他の実施例を示す説明図（二）。
【図８】本考案における異なるルーズリーフノート紙の穴の形態を示した説明図（一）。
【図９】本考案における異なるルーズリーフノート紙の穴の形態を示した説明図（二）。
【図１０】本考案における異なるルーズリーフノート紙の穴の形態を示した説明図（三）。
【図１１】本考案における異なるルーズリーフノート紙の穴の形態を示した説明図（四）。
【考案を実施するための形態】
【００１３】
先ず、図３を参照しながら説明する。本考案のルーズリーフノート紙１は、ルーズリーフノート紙１の一側に１インチの間隔で穴が１個形成されることで、一列の穴１１を形成している。各穴１１の端に向かった一側に溝１２が形成され、溝１２の幅はわずかである。ダブルのコイル型留め具２は、硬い線材によって多数のダブルのＣ型リング２１が長くつらなった形状に加工され、各ダブルのＣ型リング２１の間隔は１インチを単位とする。つまり、いずれの１インチの長さにも１個のダブルのＣ型リング２１が設置されることになる。
【００１４】
ダブルのコイル型留め具２は、装丁の際に、先ずダブルのコイル型留め具２の各ダブルのＣ型リング２１の開口部２１１をやや押し開く。すなわち、支点２１２を中心に各ダブルのＣ型リング２１の開口部２１１をやや押し開くのである。そして、多数のダブルのＣ型リング２１のダブルのコイル型留め具２を、多数のルーズリーフノート紙１の対応する間隔単位の穴１１中に「一度に」挿入して、押し込むように綴じることで、その装丁作業が完了する（図３、図４参照）。このように、スピーディー且つ便利に、装丁作業が行えるため、装丁の際の時間が節約できる。
【００１５】
ルーズリーフノート紙１の一側の各穴１１の端に向かった一側には、溝１２が設けられている。溝１２の幅がわずかであることにより、ルーズリーフノート紙１の穴１１の完全性が破壊されることなく、つまり、ルーズリーフノート紙１の完全性が保たれたまま、ダブルのＣ型リング２１が溝１２に沿って移動して、ルーズリーフノート紙１がそのままスムーズに取り出せる（図５参照）。
【００１６】
同様に、ルーズリーフノート紙１は、逆方向に溝１２からダブルのＣ型リング２１が通過し、ダブルのＣ型リング２１を再び元の穴１１に戻すことができる（図６参照）。したがって、ルーズリーフノート紙１は、完全な形状で取り出すことが可能であり、取り出す際に穴１１を破壊することなく、同時に、取り出されたルーズリーフノート紙１を完全な形状で元のルーズリーフノート中に戻すことも可能である。
【００１７】
また、ルーズリーフノート紙１の一側の穴１１は、各種の幾何形状に加工してもよい。例えば、矩形（図７参照）、円形（図８参照）、半円形（図９、図１０参照）等の変化が可能である。
【符号の説明】
【００１８】
１          ・・・  ルーズリーフノート
１１        ・・・  ルーズリーフノートの穴
１２        ・・・  溝
２          ・・・  ダブルのコイル型留め具（ルーズリーフノート紙用留め具）
２１        ・・・  ダブルのＣ型リング
２１１      ・・・  開口部
Ａ          ・・・  ルーズリーフノート
Ａ１        ・・・  ルーズリーフノートの紙
Ａ２        ・・・  穴
Ｂ          ・・・  コイル型の留め具
【図１】
0003161273.tif 000003
【図２】
0003161273.tif 000004
【図３】
0003161273.tif 000005
【図４】
0003161273.tif 000006
【図５】
0003161273.tif 000007
【図６】
0003161273.tif 000008
【図７】
0003161273.tif 000009
【図８】
0003161273.tif 000010
【図９】
0003161273.tif 000011
【図１０】
0003161273.tif 000012
【図１１】
0003161273.tif 000013
【手続補正書】
【提出日】平成22年5月24日(2010.5.24)
【手続補正１】
【補正対象書類名】実用新案登録請求の範囲
【補正対象項目名】全文
【補正方法】変更
【補正の内容】
【実用新案登録請求の範囲】
【請求項１】
ダブルのＣ型リングが多数つながるように硬い線材により長い形状に加工され、
各前記ダブルのＣ型リングの間隔が１インチであり、
装丁時に前記ダブルのＣ型リングの開口部にルーズリーフノート紙の対応する穴が挿入され、
一度に多数の前記ルーズリーフノート紙が装丁され、スピーディー且つ便利に装丁作業が行われることを特徴とするルーズリーフノート紙用留め具。
【請求項２】
一側に一列に穴が形成され、
各前記穴の間隔は１インチであり、
各前記穴から前記一側の端に向かって溝が形成され、
ダブルのＣ型リングが多数つながるように硬い線材により長い形状に加工されたルーズリーフノート紙用留め具が穴に挿入され、装丁作業が行われることを特徴とするルーズリーフノート紙。